【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
受信者により登録される画像情報を記憶するステップと、
前記画像情報を送信者へ送信するか否かを設定するステップと、
前記送信者からのデータの送信要求を示す情報を受信すると、前記設定に基づいて前記送信者に対し前記画像情報を送信するステップと、を含むことを特徴とするファクシミリ送受信制御方法。
【請求項２】
前記送信者に前記画像情報を送信すると通信を切断するステップを更に含むことを特徴とする請求項１記載のファクシミリ送受信制御方法。
【請求項３】
前記送信者に前記画像情報を送信した後、前記送信者から送信される前記データを受信するステップを更に含むことを特徴とする請求項１記載のファクシミリ送受信制御方法。
【請求項４】
前記送信者に前記画像情報を送信した後、前記送信者からの前記データを受信しないステップを更に含むことを特徴とする請求項１記載のファクシミリ送受信制御方法。
【請求項５】
前記画像情報をメールボックス毎に格納するステップを更に含むことを特徴とする請求項１記載のファクシミリ送受信制御方法。
【請求項６】
送信者がデータを送信しようとしたとき、画像情報を受信するステップと、
前記画像情報を表示手段に表示するステップと、を含むことを特徴とするファクシミリ送受信制御方法。
【請求項７】
送信者がデータを送信しようとしたとき、画像情報であるイメージデータを受信するステップと、
前記イメージデータを印刷手段により印刷するステップと、を含むことを特徴とするファクシミリ送受信制御方法。
【請求項８】
受信者により登録される画像情報を記憶する記憶手段と、
前記画像情報を送信者へ送信するか否かを設定する設定手段と、
送信者からデータを送信したい旨の情報を受信した場合、前記設定に基づいて、送信者に対し前記画像情報を送信する送信手段とを有することを特徴とするファクシミリ装置。
【請求項９】
前記画面情報はイメージデータであり、
前記送信手段は、該イメージデータを送信することを特徴とする請求項８記載のファクシミリ装置。
【請求項１０】
前記送信手段は、送信者に前記画像情報を送信して通信を切断することを特徴とする請求項８記載のファクシミリ装置。
【請求項１１】
送信者に前記画像情報を送信して、送信者から送信されるデータを受信する受信手段を更に含むことを特徴とする請求項８記載のファクシミリ装置。
【請求項１２】
前記送信手段は、送信者に前記画像情報を送信すると、送信者から送信されるデータを受信する前に通信を切断することを特徴とする請求項８記載のファクシミリ装置。
【請求項１３】
前記記憶手段は、メールボックスであり、前記画像情報は、メールボックス毎に格納されることを特徴とする請求項８記載のファクシミリ装置。
【請求項１４】
画像データを送信する送信手段と、画像情報を受信する受信手段と、受信した画像情報を表示する表示手段を有し、前記送信手段で画像データを送信しようとするとき、前記受信手段で前記画像情報を受信した場合、受信した前記画像情報を前記表示手段で表示することを特徴とするファクシミリ装置。
【請求項１５】
画像データを送信する送信手段と、イメージデータである画像情報を受信する受信手段と、受信した画像情報を印刷する印刷手段を有し、前記送信手段で画像データを送信しようとするとき、前記受信手段で前記画像情報を受信した場合、受信した前記画像情報を前記印刷手段で印刷することを特徴とするファクシミリ装置。
【手続補正２】
【補正対象書類名】明細書
【補正対象項目名】０００５
【補正方法】変更
【補正の内容】
【０００５】
【課題を解決するための手段】
本発明は以上の点を解決するため次の構成を採用する。
〈構成１〉
受信者により登録される画像情報を記憶するステップと、前記画像情報を送信者へ送信するか否かを設定するステップと、前記送信者からのデータの送信要求を示す情報を受信すると、前記設定に基づいて前記送信者に対し前記画像情報を送信するステップと、を含むことを特徴とするファクシミリ送受信制御方法。


【手続補正３】
【補正対象書類名】明細書
【補正対象項目名】０００６
【補正方法】変更
【補正の内容】
【０００６】
〈構成２〉
構成１において、前記送信者に前記画像情報を送信すると通信を切断するステップを更に含むことを特徴とするファクシミリ送受信制御方法。
〈構成３〉
構成１において、前記送信者に前記画像情報を送信した後、前記送信者から送信される前記データを受信するステップを更に含むことを特徴とするファクシミリ送受信制御方法。
〈構成４〉
構成１において、前記送信者に前記画像情報を送信した後、前記送信者からの前記データを受信しないステップを更に含むことを特徴とするファクシミリ送受信制御方法。
〈構成５〉
構成１において、前記画像情報をメールボックス毎に格納するステップを更に含むことを特徴とするファクシミリ送受信制御方法。


【手続補正４】
【補正対象書類名】明細書
【補正対象項目名】０００７
【補正方法】変更
【補正の内容】
【０００７】
〈構成６〉
送信者がデータを送信しようとしたとき、画像情報を受信するステップと、前記画像情報を表示手段に表示するステップと、を含むことを特徴とするファクシミリ送受信制御方法。
〈構成７〉
送信者がデータを送信しようとしたとき、画像情報であるイメージデータを受信するステップと、前記イメージデータを印刷手段により印刷するステップと、を含むことを特徴とするファクシミリ送受信制御方法。


【手続補正５】
【補正対象書類名】明細書
【補正対象項目名】０００８
【補正方法】変更
【補正の内容】
【０００８】
〈構成８〉
受信者により登録される画像情報を記憶する記憶手段と、前記画像情報を送信者へ送信するか否かを設定する設定手段と、送信者からデータを送信したい旨の情報を受信した場合、前記設定に基づいて、送信者に対し前記画像情報を送信する送信手段とを有することを特徴とするファクシミリ装置。
〈構成９〉
構成８において、前記画像情報はイメージデータであり、前記送信手段は、該イメージデータを送信することを特徴とするファクシミリ装置。
〈構成１０〉
構成８において、前記送信手段は、送信者に前記画像情報を送信して通信を切断することを特徴とするファクシミリ装置。
〈構成１１〉
構成８において、送信者に前記画像情報を送信して、送信者から送信されるデータを受信する受信手段を更に含むことを特徴とするファクシミリ装置。
〈構成１２〉
構成８において、前記送信手段は、送信者に前記画像情報を送信すると、送信者から送信されるデータを受信する前に通信を切断することを特徴とするファクシミリ装置。
〈構成１３〉
構成８において、前記記憶手段は、メールボックスであり、前記画像情報は、メールボックス毎に格納されることを特徴とするファクシミリ装置。


【手続補正６】
【補正対象書類名】明細書
【補正対象項目名】０００９
【補正方法】変更
【補正の内容】
【０００９】
〈構成１４〉
画像データを送信する送信手段と、画像情報を受信する受信手段と、受信した画像情報を表示する表示手段を有し、前記送信手段で画像データを送信しようとするとき、前記受信手段で前記画像情報を受信した場合、受信した前記画像情報を前記表示手段で表示することを特徴とするファクシミリ装置。
〈構成１５〉
画像データを送信する送信手段と、イメージデータである画像情報を受信する受信手段と、受信した画像情報を印刷する印刷手段を有し、前記送信手段で画像データを送信しようとするとき、前記受信手段で前記画像情報を受信した場合、受信した前記画像情報を前記印刷手段で印刷することを特徴とするファクシミリ装置。